(57)【特許請求の範囲】
【請求項１】
内部に吸音材が内装された中空箱状の吸音パネルと、該吸音パネルに取り付けられた太陽電池パネルを備える防音壁パネルであって、
前記太陽電池パネルは取付金具を介して前記吸音パネルの後面に該後面と間隔をあけて取り付けられており、
前記取付金具は、固定手段と、該固定手段より固定力の小さな弱固定手段の両方によって前記吸音パネルに固定されると共に、前記弱固定手段は前記固定手段より下方に配置されていることを特徴とする防音壁パネル。
【請求項２】
前記吸音パネルは、その左右両側にそれぞれ側面部材が配置され、
前側に配置された前面板と、後側に配置された背面板とが、前記各側面部材に固定されて中空箱状に形成されており、
前記前面板と背面板の少なくとも一方が、上板と、該上板と別体に形成されて下方に配置された下板とを備えると共に、
前記固定手段は前記上板の対応する位置に配置され、前記弱固定手段は前記下板の対応する位置に配置されて、前記取付金具を前記吸音パネルに固定させていることを特徴とする請求項１に記載の防音壁パネル。
【請求項３】
前記前面板と背面板の両方が、上板と、該上板と別体に形成されて下方に配置された下板とをそれぞれ備えると共に、
前記固定手段は前記背面板の上板に配置され、前記弱固定手段は前記背面板の下板に配置されて前記取付金具を前記吸音パネルに固定させていることを特徴とする請求項２に記載の防音壁パネル。
【発明の詳細な説明】
【技術分野】
【０００１】
本発明は、主として、車両等の走行に伴う騒音を吸音するために、高速道路や鉄道の沿線等に沿って設置される防音壁に用いられる防音壁パネルに関するものである
【背景技術】
【０００２】
車両などの走行に伴う騒音を遮音、吸音するために、内部に吸音材を内装させた中空箱形状の吸音パネルが一般的に用いられている。そして近年では、主に屋外に設置させて用いられる吸音パネルに太陽電池パネルを取り付け、発電機能を備えさせたものが利用されており、また種々の発明が開示されている。
【０００３】
例えば、特許文献１には、多数の開孔を有する前面板と、背面側に設けられた太陽電池パネルとが相対向されて形成された中空内に吸音材が内装され、前記吸音材と前記太陽電池パネルとの間には空隙部が設けられると共に、該空隙部と前記開孔との間に空気が流通可能な通気部が設けられていることを特徴とする吸音パネル、が本出願人によって開示されている。
【先行技術文献】
【特許文献】
【０００４】
【特許文献１】特開２０１１−１４９１８５号公報
【発明の概要】
【発明が解決しようとする課題】
【０００５】
特許文献１に示される吸音パネルは、内部の空気の流れによって太陽電池パネルの温度上昇を抑制させたものであるが、本発明はこれとは異なる構成により、事故などの際に太陽電池パネルの破損が抑制される防音壁パネルを提供するものである。
【課題を解決するための手段】
【０００６】
上記目的を達成するため、本発明は以下のような構成としている。
すなわち本発明に係る防音壁パネルは、内部に吸音材が内装された中空箱状の吸音パネルと、該吸音パネルに取り付けられた太陽電池パネルを備える防音壁パネルであって、
前記太陽電池パネルは取付金具を介して前記吸音パネルの後面に該後面と間隔をあけて取り付けられており、
前記取付金具は、固定手段と、該固定手段より固定力の小さな弱固定手段の両方によって前記吸音パネルに固定されると共に、前記弱固定手段は前記固定手段より下方に配置されていることを特徴としている。
【０００７】
本発明に係る防音壁パネルによれば、太陽電池パネルを中空箱状の吸音パネルの後面に取付金具を介して間隔をあけて取り付け、この取付金具を、固定手段と、この固定手段より固定力の小さな弱固定手段の両方によって前記吸音パネルに固定させるので、弱固定手段による固定は固定手段より外れやすくなされる。このため、車両が衝突するなどの事故で吸音パネルを上下に折り曲げるような力がかかった場合に、弱固定手段による吸音パネルと取付金具との固定が外れ、吸音パネルが上下方向に折り曲げられるように変形しても、取付金具はこれに追従することが抑制され、吸音パネルから太陽電池パネルへの力の伝達を抑制させて、太陽電池パネルの破損を抑制できる。
また、前記弱固定手段を前記固定手段より下方に配置させるので、吸音パネルが変形するなどして弱固定手段が外れたときに、これより上方に位置する固定手段により吸音パネルに固定された取付金具で太陽電池パネルが支持されるようになされ、太陽電池パネルの重量などによる力が前記固定手段に集中しにくくなされて、この固定手段の固定が外れにくくなされる。
【０００８】
また、前記吸音パネルの左右両側にそれぞれ側面部材を配置させ、前側に配置させた前面板と、後側に配置させた背面板とを、前記各側面部材に固定させて中空箱状に形成されており、前記前面板と背面板の少なくとも一方を、上板と、この上板と別体に形成させて下方に配置させた下板とを備えさせれば、車両が衝突するなどの事故で吸音パネルが変形するときに、上下方向において前記上板と下板との間で折れ曲がるような変形が生じやすくなされる。
そして、前記固定手段を前記上板の対応する位置に配置させ、前記弱固定手段を前記下板の対応する位置に配置させて、前記取付金具を前記吸音パネルに固定させれば、前記吸音パネルが変形して弱固定手段の固定が外れたときに、固定手段により支持される取付金具や太陽電池パネルの重量が、前記背面板の上部の部分に分散されやすくなされて固定手段への負荷が低減され、固定手段の固定が外れにくくなされるので好ましい。
【０００９】
また、前記前面板と背面板の両方が、上板と、この上板と別体に形成させて下方に配置させた下板とをそれぞれ備えると共に、
前記固定手段を前記背面板の上板に配置させ、前記弱固定手段を前記背面板の下板に配置させて前記取付金具を前記吸音パネルに固定させれば、
車両が衝突するなどの事故で吸音パネルが前後方向に折り曲げられるような力がかかった場合に、上下方向においては前記背面板の上板と背面板の下板との間で折れ曲がるような変形が生じやすくなされる。
そして、前記取付金具を、前記固定手段により前記背面板の上板へ固定させ、前記弱固定手段により前記背面板の下板へ固定させれば、前記吸音パネルが変形して弱固定手段が外れたときに、固定手段により支持される取付金具や太陽電池パネルの重量が、前記背面板の上板に分散されやすくなされて固定手段への負荷が低減され、固定手段の固定が外れにくくなされるので好ましい。
【発明の効果】
【００１０】
本発明に係る防音壁パネルによれば、事故などで車両などが接触した場合でも、取り付けられた太陽電池パネルの破損が抑制される。
【図面の簡単な説明】
【００１１】
【図１】本発明に係る防音壁パネルの実施の一形態を示す（イ）は平面図であり、（ロ）は正面図であり、（ハ）は側面図であり、（ニ）は背面図である。
【図２】図１のＡ−Ａ断面の概要を示す図である。
【図３】図１のＢ−Ｂ断面の概要を示す図である。
【図４】図１のＣ−Ｃ断面の概要を示す図である。
【図５】図１の防音壁パネルを支柱間に設置させた状態を示す上方からの図である。
【図６】図１の防音壁パネルが変形した状況を示す縦断面図である。
【図７】本発明に係る防音壁パネルの実施の他の一形態を示す縦断面図である。
【図８】図７の防音壁パネルが変形した状況を示す縦断面図である。
【発明を実施するための形態】
【００１２】
本発明の実施の形態を図面に基づき具体的に説明する。
図面において、１は防音壁パネルである。
防音壁パネル１は、前側に配置された箱形状の吸音パネル２と、後側に配置された太陽電池パネル３とを備え、この太陽電池パネル３は、取付金具５１を介して吸音パネル２の後面に取り付けられている。
【００１３】
図２は図１のＡ−Ａ断面の概要を示す図であり、図３は図１のＢ−Ｂ断面の概要を示す図であり、図４は図１のＣ−Ｃ断面の概要を示す図である。
吸音パネル２は、アルミニウム板からなる多数の開孔２１ａを有する前面板２１と、その背後の背面板２２とによって形成された中空内に、グラスウールなどで形成された吸音材２４が内装され、前面板２１の開孔２１ａより中空内に入射された前方からの騒音は吸音材２４によって吸音するよう設けられている。
【００１４】
本実施形態の背面板２２は、図２に示すように縦断面が略コの字形状に形成されており、上部と下部とがそれぞれ前方へ突出して延設されるように曲げ加工されて形成されている。
この背面板２２の上部で前方へ延設される上突出部２２ａが吸音パネル２の上面を形成し、背面板２２の下部で前方へ延設される下突出部２２ｂが吸音パネル２の下面を形成するように設けられている。
また背面板２２の下突出部２２ｂは、その前縁部分が下方へ向けて突出するように曲げ加工されている。
【００１５】
本実施形態の前面板２１は、その上部が後方へ突出するように曲げ加工されており、この突出部分が前記背面板２２の上突出部２２ａの上面に重合されて、リベット止めされている
また、本実施形態の前面板２１は、その下部が後方へ折り返されるように曲げ加工されており、この折り返し部分が前記背面板２２の下突出部２２ｂの前縁部分を巻き込むように設けられて、係合されている。
前面板２１と背面板２２は、上記のようにそれぞれの上部と下部とで互いに固定されて、左右に開口する筒形状に設けられ、この開口部分を塞ぐように側面部材２３が左右両端にそれぞれ取り付けられて、中空箱形状の吸音パネル２を形成するように設けられている。
【００１６】
本実施形態の吸音材２４は横方向へ長い厚板形状に形成され、吸音パネル２内において上下方向に並設されるように２枚内装されている。
また、前記吸音パネル２内において、前記各吸音材２４と背面板２２との間に、横方向へ長い棒形状の押え部材２５が配置されて内装されている。具体的には前記２枚の吸音材２４の内、上方に配置された吸音材２４の上部後方と、下方に配置された吸音材２４の下部後方とに、それぞれ１本づつ、合計２本の押え部材２５が配置され、各吸音材２４がそれぞれ前面板２１付近に配置されるようになされている。
本実施形態の吸音材２４は厚板形状に形成させたグラスウールの表面をガラス繊維製のシートで被覆して形成させているが、これに限るものではなく、グラスウールを樹脂フィルムなど他の部材で被覆してもよく、グラスウール以外の材質のものを用いても良い。
また、本実施形態の押え部材２５は発砲ウレタン樹脂を用いて形成させているが、これに限るものではなく、他の材質の発泡材を用いて押え部材２５を形成させてもよく、また、押え部材２５を金属板などから形成させてもよい。
【００１７】
前記前面板２１の開孔２１ａは細長いスリット形状に形成してもよく、パンチング孔を穿設させて形成してもよく、その他の形状に形成してもよいが、本実施形態は前面板２１の長手方向に細長い切れ込みを形成し、図２に示すようにその上部を外側にひさし状に張り出すように折り曲げてスリット形状に形成させている。このように形成させることで、開孔２１ａを容易に形成できるとともに、外側に張り出した開孔２１ａの上部分が屋根のように機能し、開孔２１ａを通じて雨水等が吸音パネル２内へ侵入しにくいものとしている。
【００１８】
本実施形態の前面板２１は、１枚のアルミニウム合金板を曲げ加工して形成されており、その上下方向中央付近で角部２６が形成されるように曲げ加工され、断面「く」形状に形成されている。
前記前面板２１により形成される吸音パネル２の前面は、上下の端部から中央付近の角部２６に至るほど、吸音パネル２の内側へ向かうように傾斜している。
そして、前記背面板２２で形成される吸音パネル２の後面は平面状に設けられており、本実施形態の吸音パネル２は上下の端付近より中央付近の角部２６において、前後の厚みの大きさが小さくなるように設けられている。
【００１９】
背面板２２には、取付金具５１、５２がそれぞれ後方へ突出するように固定され、それぞれに太陽電池パネル３と下カバー部６１と、背面カバー部６２とが取り付けられており、太陽電池パネル３、下カバー部６１、背面カバー部６２は、それぞれ背面板２２との間に間隔をあけて取り付けられている。太陽電池パネル３と背面板２２との間に空気が流れるように設ければ、受光する太陽電池パネル３の温度上昇を効率的に抑制できる。
【００２０】
太陽電池パネル３は、太陽電池セルを複数並設させた板状の太陽電池モジュールの四辺を、アルミニウム押出形材からなる枠体３１で周囲を囲って形成されている。
本実施形態の太陽電池パネル３は、その受光面を防音壁パネル１の後方へ向け、吸音パネル２の長手方向中央寄りに１枚取り付けられている。
太陽電池パネル３は、吸音パネル２の背面板２２の後面に固定されて後方へ突出する取付金具５１に取り付けられており、前記背面板２２と前記太陽電池パネル３との間に取付金具５１の突出大きさ分の隙間が形成されるように設けられている。
【００２１】
前記の取付金具５１は、図２及び図４に示すように、亜鉛めっき鋼板を曲げ加工して形成された、上下方向に長い断面コの字形状に形成されており、前記背面板２２の後面にコの字の一方の端の板部５１ａを当接させて固定され、前記太陽電池パネル３の枠材３１に他方の端の板部５１ｂを当接させて固定させ、前記背面板２２の後方へ太陽電池パネル３を取付金具５１の中央の板部５１ｃの幅の大きさ分突出させて取り付けている。前記取付金具５１は、背面板２２へ左右に１個づつ合計２個取り付けられており、前記太陽電池パネル３は、これらの各取付金具５１に架け渡されるように固定されている。
【００２２】
また図２に示すように、前記取付金具５１は前記背面板２２の後面の上端部から下端部に至るように形成されている。
本実施形態の各取付金具５１は、板部５１ａを背面板２２へ当接させ、リベット７１と、このリベット７１より小径のリベット７２とを用いて固定されている。
具体的には、各取付金具５１の固定のためにリベット７１とリベット７２とがそれぞれ３個づつ用いられ、各リベット７１は背面板２２の上半分部分に配置されて上下方向に沿って３個並設され、各リベット７２は背面板２２の下半分部分に配置されて上下方向に沿って間隔をあけて３個配置されている。
詳細には、各リベット７１は吸音パネル２の角部２６より上方に配置され、各リベット７２は角部２６より下方に配置されて、各取付金具５１を背面板２２へ固定させている。
また、リベット７１よりも小径のリベット７２は、リベット７１よりも弱い固定力で各取付金具５１を背面板２２へ固定させている。
【００２３】
前記取付金具５１の板部５１ｂの下部には、太陽電池パネル３の下方の隙間を塞ぐように下カバー部６１が取り付けられている。下カバー部６１を取り付けることで、防音壁パネル１の後方から背面板２２が視認されにくく、太陽電池パネル３と下カバー部６１とが一体的に視認され、美観を向上させる。
下カバー部６１は、亜鉛めっき鋼板を曲げ加工して形成させている。
【００２４】
図１及び図４に示すように、前記太陽電池パネル３の両側の側方には、亜鉛めっき鋼板を曲げ加工して形成された背面カバー部６２がそれぞれ吸音パネル２の背面板２２に取り付けられている。
各背面カバー部６２は、板材の四辺を９０度の角度に折り曲げた長方形のパネル形状に形成され、前記吸音パネル２の背面板２２の後面に固定されて後方へ突出する取付金具５２に取り付けられており、前記背面板２２と前記背面カバー部６２との間に取付金具５２の突出大きさ分の隙間が形成されるように設けられている。
【００２５】
前記の取付金具５２は、前記取付金具５１と同様に、亜鉛めっき鋼板を曲げ加工して形成された上下方向に長い断面コの字形状に形成されており、前記背面板２２の後面にコの字の一方の端の板部５２ａを当接させて固定され、前記背面カバー部６２に他方の端の板部５２ｂを当接させて固定させ、前記背面板２２の後方へ背面カバー部６２を取付金具５２の中央の板部５２ｃの幅の大きさ分突出させて取り付けている。前記取付金具５２は、２個１組で前記太陽電池パネル３の両側の側方に１組づつ合計２組が背面板２２に取り付けられており、前記各背面カバー部６２は、１組２個の各取付金具５２に架け渡されるように固定されている。
【００２６】
図１（イ）に示すように、防音壁パネル２の後面側において、前記太陽電池パネル３と前記各背面カバー部６２とはその後面が面一となるように、前記各取付金具５１と前記各取付金具５２とが形成されており、前記防音壁パネル１の後面の美観を高めている。
また、本実施形態の吸音パネル２は、背面板２２の後面側が平面に形成されているため、断面コの字形状に形成された取付金具５１及び取付金具５２を、その板部５１ａ、板部５２ａを当接させて背面板２２に強固に固定させることができると共に、その板部５１ｃ、板部５２ｃの幅の大きさも容易に調整して形成可能であるため、太陽電池パネル３や背面カバー部６２を容易に面一とすることができる。
【００２７】
図５は図１の防音壁パネルを支柱間に設置させた状態を示す上方からの図である。
本実施形態の防音壁パネル１は、吸音パネル２が間隔をあけて立設された支柱９の間に架け渡されて固定されている。
支柱９は、その両側の側方に上下方向へ向かう溝形状の支柱溝部９１を備えるように設けられており、具体的には各支柱９は２本のフランジ９５とそれらの間に１本のウェブ９６を備えた断面Ｈ型となされ、２本のフランジ９５が前方側と後方側にそれぞれ配置され、前記各フランジ９５とこれらの間に形成されたウェブ９６とが前記の各支柱溝部９１を形成するようにそれぞれ配置されて立設されている。
また、各支柱９は、各々のウェブ９６の間の間隔が、前記吸音パネル２の横方向の大きさより若干大きく形成されるように、配置されて立設されている。
【００２８】
吸音パネル２は、その左右の両端を前記各支柱９の各支柱溝部９１内に収納させて、各支柱９間に支持、固定されている。
吸音パネル２の左右の両端において、背面板２２と支柱９の後方側に配置されたフランジ９５の内側面との間には、固定バネＳがそれぞれ取り付けられており、吸音パネル２が支柱９の前方側に配置されたフランジ９５の内側面に押し付けるように付勢されるように設けられている。
吸音パネル２は、その左右の両端を支柱溝部９１に収納させて係合され、支柱９の前方や後方に転落することなく支持固定されるとともに、固定バネＳの付勢によって風や車の通行による振動などを受けても、支柱９と摩擦などを起こさず、その劣化が抑制される。
このとき、各支柱９の後方側のフランジ９５の更に後面側が、本実施形態の防音壁パネル１の背面カバー部６２に覆われるようになされており、その後方側から目視したときに各支柱９の後面が視認されないように設けられ、その美観が高められる。
【００２９】
図６は図１の防音壁パネル１が変形した状況を示す縦断面図である。
本実施形態の防音壁パネル１は、道路騒音を吸音させる場合には、その前面板２１を道路側に向けて設置されるが、この道路で事故などが起こったときに、車両や積み荷などが前面板２１へ衝突して防音壁パネル１を変形させることがある。
本実施形態の防音壁パネル１は、前記前面板２１が、上下の端部から中央付近の角部２６に至るほど、吸音パネル２の内側へ向かうように傾斜しているので、前方側からの力による前面板２１の変形が角部２６付近で生じやすくなされる。
【００３０】
図６は、前方側からの力によって、背面板２２を含む全体が角部２６付近で折れ曲がるような変形を起こした状況を示している。前方側からの力による変形が前面板２１に留まらず、背面板２２をも変形させ、更に背面板２２に固定された取付金具５１を介して太陽電池パネル３へその力が伝達されると、太陽電池パネル３が破損する恐れがある。
太陽電池パネル３を背面板２２へ取り付ける取付金具を上下に複数個並設させて固定させた場合、背面板２２の上下方向の折れ曲がり変形に伴う力が個々の取付金具を介して太陽電池パネル３へ伝達されやすくなされるが、本実施形態の取付金具５１は、その上端から下端に至るまで断面コの字形状に形成されているため断面強度が大きくなされ、背面板２２の上下方向の折れ曲がり変形に伴う変形への耐久性が向上する。
【００３１】
また、図２に示すように、本実施形態の取付金具５１は、上方に配置された各リベット７１と、下方に配置された各リベット７２とによって背面板２２へ固定されているが、リベット７２がリベット７１より小径で固定力が弱くなされていることで、背面板２２が変形して取付金具５１の固定が外れるような力が働いた場合に、リベット７１による固定が外れるより早く、リベット７２の固定が外れるようになされている。
リベット７２の固定が外れることで、背面板２２の変形による力が取付金具５１へ伝わりにくくなされて、取付金具５１の変形が抑制されるので、取付金具５１に取り付けられた太陽電池パネル３の破損が抑制される。
また、太陽電池パネル３と背面板２２との間には、取付金具５１の板部５１ｃの大きさの間隔があいているので、背面板２２に太陽電池パネル３が直接固定された場合と比較して、背面板２２が太陽電池パネル３へ接触するまでに、背面板２２がより大きくするようになされる。このため、変形した背面板２２が太陽電池パネル３へ至る前にリベット７２の固定が外れ、背面板２２と太陽電池パネル３との接触が抑制されて、太陽電池パネル３が破損し難いものとなされる。
【００３２】
また、本実施形態の防音壁パネル１は、前方側からの力による前面板２１の変形が角部２６付近で生じやすくなされているため、この変形が背面板２２に至ったときには、図６に示すように背面板２２の変形も角部２６付近で生じやすくなされる。
前記取付金具５１は、角部２６の上方に配置されたリベット７１と、角部２６の下方に配置されたリベット７２とによって背面板２２に固定されているため、背面板２２が角部２６付近で折れ曲がり変形したときに、リベット７２による固定が外れ、角部２６付近での取付金具５１の折れ曲がり変形が抑制されるようになされる。
また、リベット７２の固定が外れることで、取付金具５１はリベット７１により上方のみが背面板２２へ固定されるようになされるが、取付金具５１の下方が背面板２２に固定されないことで背面板２２の折れ曲がり変形による力が取付金具５１を介してリベット７１へ伝達されにくくなされるので、リベット７１への負荷が軽減されてその固定が外れにくくなされ、取付金具５１の背面板２２からの脱落が抑制される。
【００３３】
また、各リベット７１が各リベット７２より上方に配置されることで、防音壁パネル１に図６のような変形がおこったときに、リベット７１に固定される取付金具５１が変形した背面板２２の上方に乗るような状態となされる。このため、太陽電池パネル３や取付金具５１の重量による、取付金具５１を背面板２２から引き剥がそうとする力が低減し、各リベット７１が各リベット７２の下方に配置される場合と比較して、リベット７１による固定が外れにくくなされる。
【００３４】
図７は本発明に係る防音壁パネルの実施の他の一形態を示す縦断面図である。
本実施形態の防音壁パネル１は、吸音パネル２の前面板２１が前面上板４１と前面下板４２の２つの部材から形成されると共に、背面板２２が背面上板４３と背面下板４４の２つの部材から形成されている点が、図１〜６に示す実施形態と異なる主な事項である。
即ち、本実施形態の防音壁パネル１は、内部に吸音材２４を内装する中空箱形状の吸音パネル２を前側に備え、後側に配置された太陽電池パネル３が取付金具５１を介して吸音パネル２の後面に取り付けられている。
また、吸音パネル２の前面板２１と背面板２２は互いに固定されて左右に開口する筒形状に設けられ、この開口部分を塞ぐように側面部材２３が左右両端にそれぞれ取り付けられて、中空箱形状の吸音パネル２を形成するように設けられている。
また、背面板２２には、取付金具５１、５２がそれぞれ後方へ突出するように固定され、取付金具５１に太陽電池パネル３と下カバー部６１とが取り付けられ、取付金具５２に背面カバー部６２が取り付けられている。
そして、前記取付金具５１は吸音パネル２の後面の上端部から下端部に至るように形成され、その板部５１ａを吸音パネル２の後面へ当接させ、上方に配置されたリベット７１と、このリベット７１より小径の下方に配置されたリベット７２とを用いて固定されている。
【００３５】
本実施形態の背面上板４３は縦断面が略コの字形状に形成されており、その上部と下部とがそれぞれ前方へ突出して上突出部４３ａと下突出部４３ｂとがそれぞれ延設されるように、曲げ加工されて形成されている。
前記上突出部４３ａは、その上面が吸音パネル２の上面を形成するように設けられている。
前記背面上板４３の下方に配置される本実施形態の背面下板４４は、縦断面が略コの字形状に形成されており、その上部と下部とがそれぞれ前方へ突出して上突出部４４ａと下突出部４４ｂとがそれぞれ延設されるように、曲げ加工されて形成されている。
前記下突出部４４ｂは、その下面が吸音パネル２の下面を形成するように設けられている。
【００３６】
本実施形態の前面上板４１は、その上部が後方へ突出するように曲げ加工されており、この突出部分が、前記背面上板４３の上突出部４３ａの前端に重合して、固定されている。
また、前面上板４１は、その下部が後方へ突出するように曲げ加工されており、この突出部分が、前記背面上板４３の下突出部４３ｂの前端に重合して、固定されている。
前面上板４１と背面上板４３は、上記のようにそれぞれの上部と下部とで互いに固定されて、左右に開口する筒形状に設けられ、この中空内に吸音材２４が内装されている。
【００３７】
前記前面上板４１の下方に配置される本実施形態の前面下板４２は、その上部が後方へ突出するように曲げ加工されており、この突出部分が、前記背面下板４４の上突出部４４ａの前端に重合して、固定されている。
また、前面下板４２は、その下部が後方へ突出するように曲げ加工されており、この突出部分が、前記背面下板４４の下突出部４４ｂの前端に重合して、固定されている。具体的には、前面下板４２の下部は、後方へ折り返されるように曲げ加工されており、この折り返し部分が前記背面下板４４の下突出部４４ｂの前縁部分を巻き込むように設けられて、係合されている。
前面下板４２と背面下板４４は、上記のようにそれぞれの上部と下部とで互いに固定されて、左右に開口する筒形状に設けられ、この中空内に吸音材２４が内装されている。
【００３８】
本実施形態の吸音パネル２は、その左右両端に側面部材２３がそれぞれ１個づつ合計２個配置されている。
そして、前記前面上板４１と、前面下板４２と、背面上板４３と、背面下板４４は、それぞれの左右両端を各側面部材２３に固定させて、相互の位置ずれが防止されている。
前記前記背面上板４３と背面下板４４は、下突出部４３ｂの下面と上突出部４４ａの上面とが当接されると共に、各々の後面が面一となるように配置されており、この各後面が吸音パネル２の後面を形成するように設けられている。
【００３９】
また、前記前面上板４１は、その上部から下方に至るほど吸音パネル２の内側へ向かって傾斜するように設けられており、前記前面下板４２は、その下部から上方に至るほど吸音パネル２の内側へ向かって傾斜するように設けられている。
そして、前記背面上板４３と背面下板４４とで形成される吸音パネル２の後面は平面状に設けられており、本実施形態の吸音パネル２は、前記前面上板４１と前面下板４２との境の角部２６において、前後の厚みの大きさが小さくなるように設けられている
【００４０】
本実施形態の取付金具５１は、図１〜６に示す実施形態と同様に、上下方向に長い断面コの字形状に形成されている。
取付金具５１は、吸音パネル２の後面を形成する背面上板４３の後面と、背面下板４４の後面とにまたがって、板部５１ａを当接させ、リベット７１と、これより小径のリベット７２を用いて固定されている。
具体的には、取付金具５１は、角部２６より上方に位置する背面上板４３へリベット７１によって固定され、角部２６より下方に位置する背面下板４４へリベット７２によって固定されている。
【００４１】
図８は図７の防音壁パネル１が変形した状況を示す縦断面図である。
本実施形態の防音壁パネル１は、前記吸音パネル２の前面が、上下の端部から中央付近の角部２６に至るほど、吸音パネル２の内側へ向かうように傾斜しているので、前方側からの力によって吸音パネル２に変形が生じるときに角部２６付近で生じやすくなされる。
また、吸音パネル２は、上下の端部分より中央付近の角部２６において、前後の厚みが小さくなされているため、吸音パネル２の後面に至るほどの変形が生じるときには、上下の端付近よりこの角部２６付近で生じやすくなされ、具体的には背面上板４３と背面下板４４との間付近で生じやすくなされる。
【００４２】
図８は、前方側からの力によって、吸音パネル２の後面が、背面上板４３と背面下板４４との間で折れ曲がるように変形した状況を示している。このような変形が生じたとき、リベット７１の固定が外れるより先に、背面下板４４へ取付金具５１を固定させているリベット７２の固定が外れて、太陽電池パネル３を破損させるほどの取付金具５１の変形が抑制されるようになされる。
また、リベット７２による固定が外れることで、取付金具５１が上下両方ではなく上方のみをリベット７１に固定されるようになされて、背面板２２の折れ曲がり変形による力が取付金具５１を介してリベット７１へ伝達されにくくなされて、リベット７１の固定が外れにくくなされる。
また、各リベット７１が各リベット７２より上方に配置されることで、防音壁パネル１に図８のような変形がおこったときに、リベット７１に固定される取付金具５１が変形した背面上板４３の上方に乗るような状態となされる。このため、太陽電池パネル３や取付金具５１の重量による、取付金具５１を背面上板４３から引き剥がそうとする力が低減し、各リベット７１が各リベット７２の下方に配置される場合と比較して、リベット７１による固定が外れにくくなされる。
【００４３】
本実施形態の吸音パネル２は、背面上板４３の下部を前方へ延設させて前面上板４１へ固定させ、背面下板４４の上部を前方へ延設させて前面下板４２へ固定させているが、このような構成に限るものではない。
例えば、背面上板４３の下部と、背面下板４４の上部とを、前方へ延設させずに互いに固定させてもよく、また、前面上板４１の下部と前面下板４２の上部とを互いに固定させてもよい。
【００４４】
本実施形態の吸音パネル２は、前面側に配置される前面板２１を前記前面上板４１と前面下板４２とで形成させると共に、後面側に配置される背面板２２を前記背面上板４３と背面下板４４とで形成させているが、このような構成に限るものではない。
例えば前面板２１を図１〜６の実施形態と同様に一の部材で形成させ、背面板２２のみを背面上板とその下方に配置される背面下板とで形成させてもよく、また、背面板２２を図１〜６の実施形態と同様に一の部材で形成させ、前面板２１のみを前面上板とそ下方に配置される前面下板とで形成させてもよく、他の構成に形成させてもよい。
【００４５】
また、前面板２１を図１〜６の実施形態と同様に一の部材で形成させ、背面板２２のみを背面上板とその下方に配置される背面下板とで形成させる場合、取付金具５１と背面上板とをリベット７１で固定させ、取付金具５１と背面下板とをリベット７１より小径で固定力の小さなリベット７２で固定させるのが好ましい。このように固定させることで、図７〜８の実施形態と同様に、吸音パネルが変形して背面上板と背面下板との間で折れ曲がるような変形が生じた場合に、取付金具５１と背面上板との固定が外れるより前に取付金具５１と背面下板との固定が外れるようになされて、吸音パネルの変形に追従する取付金具５１の変形が抑制され、太陽電池パネル３の破損や脱落が抑制される。
【００４６】
また、背面板２２を図１〜６の実施形態と同様に一の部材で形成させ、前面板２１のみを前面上板とその下方に配置される前面上板とで形成させ、取付金具５１の背面板２２への固定をリベット７１と、これより小径で固定力の弱いリベット７２とを用いて行う場合、リベット７１を前記前面上板が設けられた位置に対応する背面板２２の上部に配置させ、リベット７２を前記前面下板が設けられた位置に対応する背面板２２の下部に配置させるのが好ましい。このように固定することで、吸音パネルが前面上板と前面下板との間付近で折れ曲がるように変形し、この変形が背面板２２へ及んだときに、背面板２２の上部に配置されたリベット７１の固定が外れるより前に、背面板２２の下部に配置されたリベット７２の固定が外れるようになされて、吸音パネルの変形に追従する取付金具５１の変形が抑制され、太陽電池パネル３の破損や脱落が抑制される。
【００４７】
図１〜図６に示す実施形態、及び図７〜図８に示す実施形態において、太陽電池パネル３を吸音パネル２に取り付けるための取付金具５１はリベット７１とリベット７２とを用いて背面板２２へ固定されているが、取付金具５１を吸音パネル２へ固定させる固定手段はリベットに限るものではなく、他の方法を用いることができる。
例えば、取付金具５１と吸音パネル２との固定に、ボルト・ナットなどの締結部材を用いてもよく、スポット溶接などの溶着方法を用いてもよい。
また、図１〜図６に示す実施形態、及び図７〜図８に示す実施形態において、固定手段と、これより固定力の弱い弱固定手段の両方で取付金具５１を固定させるため、径の大きさの異なる２種類のリベット７１、７２を用いているが、固定手段と弱固定手段との固定力の大きさを異ならせる方法はこれに限るものではない。
例えば、径の異なるボルト・ナットの利用や、スポット溶接の溶接条件を異ならせるなど、固定手段と弱固定手段に同種類の方法を用いてその条件を変化させて固定力を異ならせてもよく、固定手段にボルト・ナットを用い弱固定手段にリベットを用いるなど、固定手段と弱固定手段に全く異なる種類の方法を組み合わせて用いてもよい。
【００４８】
また、図７〜８に示す実施形態において、吸音パネル２の背面上板４３にリベット７１のみを配置させ、背面下板４４にリベット７２のみを配置させているが、このような構成に限るものではなく、取付金具５１と背面上板４４との固定を、取付金具５１と背面上板４３との固定より小さな固定力で固定できる他の配置を用いることができる。
例えば、背面上板４３にリベット７１のみを配置させ、背面下板４４にリベット７１とリベット７２の両方を用いて、背面下板４４の上部にリベット７１を配置させ、下部にリベット７２を配置させて、取付金具５１を固定させても良い。また、背面下板４４にリベット７２のみを配置させ、背面上板４３にリベット７１とリベット７２の両方を用いて、背面上板４３の上部にリベット７１を配置させ、下部にリベット７２を配置させて、取付金具５１を固定させても良い。
【符号の説明】
【００４９】
１    防音壁パネル
２    吸音パネル
２１  前面板
２１ａ  開孔
２２  背面板
２２ａ  上突出部
２２ｂ  下突出部
２３  側面部材
２４  吸音材
２５  押え部材
２６  角部
３    太陽電池パネル
３１  枠体
４１  前面上板
４２  前面下板
４３  背面上板
４３ａ  上突出部
４３ｂ  下突出部
４４  背面下板
４４ａ  上突出部
４４ｂ  下突出部
５１  取付金具
５２  取付金具
６１  下カバー部
６２  背面カバー部
７１  リベット
７２  リベット
９    支柱
９１  支柱溝部
９５  フランジ
９６  ウェブ
Ｓ    固定バネ
【図１】
0005828779.tif 000002
【図２】
0005828779.tif 000003
【図３】
0005828779.tif 000004
【図４】
0005828779.tif 000005
【図５】
0005828779.tif 000006
【図６】
0005828779.tif 000007
【図７】
0005828779.tif 000008
【図８】
0005828779.tif 000009